(57)【要約】【課題】  複数の画像を発呼者側で選択して利用することができ、汎用性を向上することができるＶｏＩＰ電話システムを提供する。【解決手段】  指定信号と対応付けられた発呼者画像ファイル名を複数記憶する第1のサーバ４１と、該サーバ４１に接続され前記発呼者画像情報の一つを指定する操作部を有し発呼時の前記操作部の操作に応じた前記指定信号を前記サーバ４１に送信する発呼側のＶｏＩＰ電話装置１１と、前記発呼者画像ファイル名と対応付けられた発呼者画像を複数記憶する第２のサーバ４１と、被呼側のＶｏＩＰ電話装置５１とを備え、前記第１のサーバ４１は前記発呼側のＶｏＩＰ電話装置１１から受信した指定信号に対応する発呼者画像ファイル名を前記被呼側のＶｏＩＰ電話装置５１へ送信し、前記被呼側のＶｏＩＰ電話装置５１は受信した前記発呼者画像ファイル名に対応する画像を前記第２のサーバ４１よりダウンロードする。【選択図】        図１
2007067639.tif 000002
【特許請求の範囲】
【請求項１】
指定信号と対応付けられた発呼者画像情報を複数記憶するメモリを有するサーバと、該サーバに接続され前記発呼者画像情報の一つを指定する操作部を有し発呼時の前記操作部の操作に応じた前記指定信号を前記サーバに送信するＶｏＩＰ電話装置とを備え、前記サーバは前記ＶｏＩＰ電話装置から受信した指定信号に対応する発呼者画像情報を前記メモリから呼び出して被呼側の電話装置へ送信することを特徴とするＶｏＩＰ電話システム。
【請求項２】
前記操作部は複数の指定スイッチを有し、前記ＶｏＩＰ電話装置は前記夫々の指定スイッチに対応した指定信号を前記サーバに送信することを特徴とする請求項１に記載のＶｏＩＰ電話システム。
【請求項３】
前記操作部は管理番号を入力するキーを有し、前記ＶｏＩＰ電話装置は前記管理番号に対応した指定信号を前記サーバに送信することを特徴とする請求項１に記載のＶｏＩＰ電話システム。
【請求項４】
前記ＶｏＩＰ電話装置は短縮ダイヤルの機能を有し、短縮ダイヤル番号に対応した指定信号を前記サーバに送信することを特徴とする請求項１に記載のＶｏＩＰ電話システム。
【請求項５】
指定信号と対応付けられた発呼者画像ファイル名を複数記憶する第1のサーバと、該サーバに接続され前記発呼者画像情報の一つを指定する操作部を有し発呼時の前記操作部の操作に応じた前記指定信号を前記サーバに送信する発呼側のＶｏＩＰ電話装置と、前記発呼者画像ファイル名と対応付けられた発呼者画像を複数記憶する第２のサーバと、被呼側のＶｏＩＰ電話装置とを備え、前記第１のサーバは前記発呼側のＶｏＩＰ電話装置から受信した指定信号に対応する発呼者画像ファイル名を前記被呼側のＶｏＩＰ電話装置へ送信し、前記被呼側のＶｏＩＰ電話装置は受信した前記発呼者画像ファイル名に対応する画像を前記第２のサーバよりダウンロードすることを特徴とするＶｏＩＰ電話システム。
【請求項６】
被呼者番号と対応付けられた発呼者画像情報を複数記憶するメモリを有するサーバと、該サーバに接続されたＶｏＩＰ電話装置とを備え、前記サーバは前記ＶｏＩＰ電話装置から受信した被呼者番号に対応する発呼者画像情報を前記メモリから呼び出して被呼側の電話装置へ送信することを特徴とするＶｏＩＰ電話システム。
【請求項７】
指定信号と対応付けられた発呼者画像情報を複数記憶するメモリを有しＶｏＩＰ電話装置から受信した指定信号に対応する発呼者画像情報を前記メモリから呼び出して被呼側の電話装置へ送信するサーバに接続され、前記発呼者画像情報の一つを指定する操作部を有し、発呼時の前記操作部の操作に応じた前記指定信号を前記サーバに送信することを特徴とするＶｏＩＰ電話装置。
【請求項８】
前記操作部は複数の指定スイッチを有し、前記夫々の指定スイッチに対応した指定信号を前記サーバに送信することを特徴とする請求項７に記載のＶｏＩＰ電話装置。
【請求項９】
前記操作部は管理番号を入力するキーを有し、前記管理番号に対応した指定信号を前記サーバに送信することを特徴とする請求項７に記載のＶｏＩＰ電話装置。
【請求項１０】
短縮ダイヤルの機能を有し、短縮ダイヤル番号に対応した指定信号を前記サーバに送信することを特徴とする請求項７に記載のＶｏＩＰ電話装置。
【請求項１１】
被呼者番号と対応付けられた発呼者画像情報を複数記憶するメモリを有し、発呼時に前記被呼者番号を送信するＶｏＩＰ電話装置が接続されたサーバであって、
前記ＶｏＩＰ電話装置から受信した被呼者番号に対応する発呼者画像情報を前記メモリから呼び出して被呼側の電話装置へ送信することを特徴とするサーバ。
【発明の詳細な説明】
【技術分野】
【０００１】
本発明は、電話端末を管理し所定の画像を記憶するメモリを有するサーバと接続されるＶｏＩＰ（Ｖｏｉｃｅ  ｏｖｅｒ  Ｉｎｔｅｒｎｅｔ  Ｐｒｏｔｏｃｏｌ）電話装置及びそのＶｏＩＰ電話装置を備えたＶｏＩＰ電話システムに関する。
【背景技術】
【０００２】
近年、インターネットの普及やＩＳＤＮ回線の普及に伴い、発信者側の画像を受信者側の表示画面に表示したり、リアルタイムの画像を表示画面に表示したりする電話装置及びその電話装置を備えた電話システムが知られている（例えば、特許文献１参照）。
【０００３】
ここで、上述したインターネットを利用した電話システムとしては、インターネット・プロトコル（Ｉｎｔｅｒｎｅｔ  Ｐｒｏｔｏｃｏｌ＝ＩＰ）ネットワークを利用して音声信号を送る技術であるＶｏＩＰを用いて電話通信を可能としたＶｏＩＰ電話システムがある。
【０００４】
このＶｏＩＰ電話システムは、例えば、一般のＬＡＮ（ローカル・エリア・ネットワーク）用の規格であるＩＴＵ‐Ｔ勧告Ｈ.３２３を用いて構成される。
【０００５】
通常のアナログ電話システムにおいては、発信者と受信者との間に交換機が介在され、両者間の通話は交換機によって制御される。
【０００６】
これに対し、ＶｏＩＰ電話システムでは、発信者と受信者の電話システム端末によって制御される。従って、両者間に介在されるサーバは、両者間の識別や信号中継を司るものであって、アナログ電話システムにおける交換機のような通話制御は行わないのが基本である。
【０００７】
一方、ＶｏＩＰ電話システムでは、アナログ電話システムと同様の機能を備えるように考慮されており、発信者との通話を保留したうえで受信者からネットワーク上の他のＶｏＩＰ電話端末を呼び出し、その通話の転送を可能としている。
【０００８】
また、上述したＩＳＤＮ回線は、同時に２つの回線を利用することができ、一方の回線は音声用、他方の回線は画像用として利用することにより所謂ＴＶ電話を実現するものである。
【０００９】
また、これらの画像配信には、携帯電話の普及に伴い、携帯電話に付属のカメラから撮影した画像を利用したＴＶ電話システムも周知である。
【特許文献１】特開２００５−３９５４０号公報
【発明の開示】
【発明が解決しようとする課題】
【００１０】
ところで、上述した画像配信が可能な電話装置にあっては、何れの場合においても使用者側から配信される画像は１種類又は撮影カメラで撮影されたリアルタイム画像である。
【００１１】
一方、電話装置の使用形態としては、使用者が基本的に所有者本人に特定される携帯電話や一人住い宅に設置の電話装置の場合、使用者が複数人で共用する家庭用（家族用）の電話装置の場合、会社等に設置されて部署毎等で複数人が共用する会社用の電話装置の場合などがある。
【００１２】
したがって、リアルタイムで撮影された画像を配信するＴＶ電話の場合を除き、例えば、複数人で共用する電話装置を利用して発呼者側から誰からの発呼であるかを着呼者側で認識させたい場合に、一つの画像しか利用することができないとなるとその利用者が特定されてしまったり、会社のロゴマークを発信するといった限られた画像利用形態しかなく、汎用性が乏しいという問題が生じていた。
【００１３】
尚、複数の画像を使い分ける例としては、上述した１台の電話装置を複数人で共用するといった利用形態に限定されず、例えば、１台の電話装置を基本的に一人で利用していても、友人用・家族用・仕事用といったように、複数の画像を使い分けたいといった利用形態も考え得る。
【００１４】
そこで、本発明は、上記事情を考慮し、複数の画像を発呼者側で選択して利用することができ、汎用性を向上することができるＶｏＩＰ電話装置及びＶｏＩＰ電話装置を利用したＶｏＩＰ電話システムを提供することを目的とする。
【課題を解決するための手段】
【００１５】
請求項１に記載の発明は、指定信号と対応付けられた発呼者画像情報を複数記憶するメモリを有するサーバと、該サーバに接続され前記発呼者画像情報の一つを指定する操作部を有し発呼時の前記操作部の操作に応じた前記指定信号を前記サーバに送信するＶｏＩＰ電話装置とを備え、前記サーバは前記ＶｏＩＰ電話装置から受信した指定信号に対応する発呼者画像情報を前記メモリから呼び出して被呼側の電話装置へ送信することを特徴とする。
【００１６】
請求項２に記載の発明は、操作部は複数の指定スイッチを有し、前記ＶｏＩＰ電話装置は前記夫々の指定スイッチに対応した指定信号を前記サーバに送信することを特徴とする。
【００１７】
請求項３に記載の発明は、操作部は管理番号を入力するキーを有し、前記ＶｏＩＰ電話装置は前記管理番号に対応した指定信号を前記サーバに送信することを特徴とする。
【００１８】
請求項４に記載の発明は、ＶｏＩＰ電話装置は短縮ダイヤルの機能を有し、短縮ダイヤル番号に対応した指定信号を前記サーバに送信することを特徴とする。
【００１９】
請求項５に記載の発明は、指定信号と対応付けられた発呼者画像ファイル名を複数記憶する第1のサーバと、該サーバに接続され前記発呼者画像情報の一つを指定する操作部を有し発呼時の前記操作部の操作に応じた前記指定信号を前記サーバに送信する発呼側のＶｏＩＰ電話装置と、前記発呼者画像ファイル名と対応付けられた発呼者画像を複数記憶する第２のサーバと、被呼側のＶｏＩＰ電話装置とを備え、前記第１のサーバは前記発呼側のＶｏＩＰ電話装置から受信した指定信号に対応する発呼者画像ファイル名を前記被呼側のＶｏＩＰ電話装置へ送信し、前記被呼側のＶｏＩＰ電話装置は受信した前記発呼者画像ファイル名に対応する画像を前記第２のサーバよりダウンロードすることを特徴とする。
【００２０】
請求項６に記載の発明は、被呼者番号と対応付けられた発呼者画像情報を複数記憶するメモリを有するサーバと、該サーバに接続されたＶｏＩＰ電話装置とを備え、前記サーバは前記ＶｏＩＰ電話装置から受信した被呼者番号に対応する発呼者画像情報を前記メモリから呼び出して被呼側の電話装置へ送信することを特徴とする。
【００２１】
請求項７に記載の発明は、指定信号と対応付けられた発呼者画像情報を複数記憶するメモリを有しＶｏＩＰ電話装置から受信した指定信号に対応する発呼者画像情報を前記メモリから呼び出して被呼側の電話装置へ送信するサーバに接続され、前記発呼者画像情報の一つを指定する操作部を有し、発呼時の前記操作部の操作に応じた前記指定信号を前記サーバに送信することを特徴とする。
【００２２】
請求項８に記載の発明は、操作部は複数の指定スイッチを有し、前記夫々の指定スイッチに対応した指定信号を前記サーバに送信することを特徴とする。
【００２３】
請求項９に記載の発明は、操作部は管理番号を入力するキーを有し、前記管理番号に対応した指定信号を前記サーバに送信することを特徴とする。
【００２４】
請求項１０に記載の発明は、短縮ダイヤルの機能を有し、短縮ダイヤル番号に対応した指定信号を前記サーバに送信することを特徴とする。
【００２５】
請求項１１に記載の発明は、被呼者番号と対応付けられた発呼者画像情報を複数記憶するメモリを有し、発呼時に前記被呼者番号を送信するＶｏＩＰ電話装置が接続されたサーバであって、
前記ＶｏＩＰ電話装置から受信した被呼者番号に対応する発呼者画像情報を前記メモリから呼び出して被呼側の電話装置へ送信することを特徴とする。
【発明の効果】
【００２６】
請求項１に記載の発明によれば、発呼側のＶｏＩＰ電話装置によって発呼者画像情報の一つを指定する操作が発呼時に行われた際には、その指定された画像情報がサーバのメモリから呼び出されて発信信号と共に発信されることにより、複数人で１台のＶｏＩＰ電話装置を使用する場合においてもその使用者を指定した上で画像を送信することができ、１人で１台のＶｏＩＰ電話装置を使用する際に使用者に応じた画像を送信することができ、汎用性を向上することができる。
【００２７】
請求項２に記載の発明によれば、操作部は複数の指定スイッチを有し、夫々の指定スイッチに対応した画像情報が送信されることにより、操作性が向上する。
【００２８】
請求項３に記載の発明によれば、操作部は管理番号を入力するキーを有し、管理番号に対応した画像情報が送信されることにより、操作部にテンキーを兼用することができる。
【００２９】
請求項４に記載の発明によれば、短縮ダイヤル番号に対応した画像情報が送信されることにより、短縮ダイヤル操作を兼用することができる。
【００３０】
請求項５に記載の発明によれば、発呼側のＶｏＩＰ電話装置が画像指定信号を第１のサーバに送信し、これを受信した第１のサーバは画像指定信号に対応する画像ファイル名を被呼側のＶｏＩＰ電話装置に送信し、これを受信した被呼側の電話装置は画像ファイル名に対応する画像を第２のサーバより取り込んで表示することにより、複数人で１台のＶｏＩＰ電話装置を使用する場合においてもその使用者を指定した上で画像を送信することができ、１人で１台のＶｏＩＰ電話装置を使用する際に使用者に応じた画像を送信することができ、汎用性を向上することができる。
【００３１】
請求項６に記載の発明によれば、サーバは被呼者番号と対応付けられた発呼者画像情報を複数記憶するメモリを有し、ＶｏＩＰ電話装置から受信した被呼者番号に対応する発呼者画像情報を前記メモリから呼び出して被呼側の電話装置へ送信することにより、ダイヤル発信操作を兼用することができる。
【００３２】
請求項７に記載の発明によれば、ＶｏＩＰ電話装置は、サーバに記憶される発呼者画像情報の一つを指定する操作部を有し、発呼時の前記操作部の操作に応じた前記指定信号を前記サーバに送信することにより、複数人で１台のＶｏＩＰ電話装置を使用する場合においてもその使用者を指定した上で画像を送信することができ、１人で１台のＶｏＩＰ電話装置を使用する際に使用者に応じた画像を送信することができ、汎用性を向上することができる。
【００３３】
請求項８に記載の発明によれば、操作部は複数の指定スイッチを有し、夫々の指定スイッチに対応した画像情報が送信されることにより、操作性が向上する。
【００３４】
請求項９に記載の発明によれば、操作部は管理番号を入力するキーを有し、管理番号に対応した画像情報が送信されることにより、操作部にテンキーを兼用することができる。
【００３５】
請求項１０に記載の発明によれば、短縮ダイヤル番号に対応した画像情報が送信されることにより、短縮ダイヤル操作を兼用することができる。
【００３６】
請求項１１に記載の発明によれば、サーバは被呼者番号と対応付けられた発呼者画像情報を複数記憶するメモリを有し、ＶｏＩＰ電話装置から受信した被呼者番号に対応する発呼者画像情報を前記メモリから呼び出して被呼側の電話装置へ送信することにより、複数人で１台のＶｏＩＰ電話装置を使用する場合においてもその使用者を指定した上で画像を送信することができ、１人で１台のＶｏＩＰ電話装置を使用する際に使用者に応じた画像を送信することができ、汎用性を向上することができる。
【発明を実施するための最良の形態】
【００３７】
次に、本発明の一実施形態に係るＶｏＩＰ電話装置及びこれを備えたＶｏＩＰ電話システムについて、図面を参照して説明する。
【００３８】
図１は本発明の電話装置を備えたＶｏＩＰ電話システムのブロック図、図２は本発明のＶｏＩＰ電話システムの使用例のシーケンスの説明図である。
【００３９】
図１において、会社の敷地内に設置されたルータ１がインターネット網２に接続される。このインターネット網２にはＩＰセントレックスの通信業者が有するセントレックスサーバ（図示せず）がルータ３を介して接続される。
【００４０】
このセントレックスサーバは交換機の機能を備えている。例えば、セントレックスサーバは、ＩＰパケットで送信される発呼要求の信号を受信すると、発呼先に応じてインターネット網２に接続されるＶｏＩＰ電話装置やインターネット網２に接続されるセントレックスゲートウェイ４を介して公衆回線網５の加入者電話装置（通常の電話装置）６に発呼信号を送信する。セントレックスゲートウェイ４は複数配設され、それぞれ市外局番が異なる地域の局に接続されている。セントレックスサーバは最適な経路となるセントレックスゲートウェイ４を選択する。尚、セントレックスサーバは発呼先が警察署（１１０）や消防署（１１９）などの特番の場合には接続は拒否する。
【００４１】
一方、ルータ１には、ＬＡＮ（構内）ゲートウェイ１０、複数のＶｏＩＰ電話装置１１，２１，３１，ＳＩＰサーバ４１が接続されている。また、他のルータ１には、インターネット網２を介して複数のＶｏＩＰ電話装置１１，２１，３１及びＳＩＰサーバ４１と接続可能な他のＶｏＩＰ電話装置（Ｄ）５１が接続されている。
【００４２】
ＶｏＩＰ電話装置１１，２１，３１は、例えば、ＶｏＩＰ電話装置（Ａ）１１に例示するように、テンキーや各種操作キー等の操作スイッチを備えると共に複数の釦スイッチなどからなる発呼者指定スイッチ１２ａを備えた操作部１２と、モニタなどの表示部１３と、各種モード状態の記憶や複数の画像を発呼者指定スイッチ１２ａに対応して記憶したメモリ１４と、これらを制御する制御回路１５とを備えている。
【００４３】
ＬＡＮゲートウェイ１０は会社と同一市外局番である地域内の局に、インターネット網２を介することなく直接接続される。この接続手続きのときの申請書にＬＡＮゲートウェイ１０が設置される居所が記入され、この居所が地域内の局のデータベース（図示せず）に接続される。
【００４４】
ＬＡＮゲートウェイ１０は、地域内の公衆電話網５を介して加入者電話装置６と接続され、音声データとＩＰパケットの変換を行う。
【００４５】
ＶｏＩＰ電話装置（Ａ）１１の制御回路１５は、メモリ１４に書き込まれたプログラムにより各部を制御する。また、メモリ１４は制御回路１５の動作に必要な情報を記憶する。表示部１３は通話や設定などに係る情報を表示する。入力部２１は通話や設定などの操作を行う。
【００４６】
ＶｏＩＰ電話装置（Ｂ）（Ｃ）２１，３１は、上述したＶｏＩＰ電話装置（Ａ）１１と実質的に同一の構成である。
【００４７】
ＳＩＰサーバ４１は、制御回路４１ａと、この制御回路４１ａを介して記憶（保存）・呼び出しが可能な複数の画像を記憶可能なメモリ４１ｂとを備えている。そして発呼者指定スイッチ１２ａが各々の画像に対応付けられている。
【００４８】
上記の構成において、電話をかける場合には、発呼者指定スイッチ１２ａを操作して発呼者を指定した後、操作部１２のテンキー又は短縮登録キー等の電話番号入力により相手先入力をすれば、その相手先に発呼者指定スイッチ１２ａで指定された画像がＳＩＰサーバのメモリ４１ｂからダウンロードされて発信信号と共に発信される。
【００４９】
尚、発呼者指定スイッチ１２ａに変わり、画像に管理番号を付し、テンキーによって入力された管理番号を指定信号としてサーバに送信することにより画像を特定することもできる。また、短縮ダイヤル等の登録を行った場合には、その登録先を使用する相手は、例えば、会社営業であれば担当者等で特定することができ、一つの短縮ダイヤルに対する実質的な登録先使用者は１人である場合が多いため、短縮ダイヤルと指定信号を関連付けして画像を登録しても良い。同様に相手先電話番号で発呼者を特定できるときは、単に相手先電話番号（被呼者番号）に関連付け発呼者の画像を登録してもよい。このときは呼び出すダイヤル番号で画像を指定することになるので、画像を指定するキーの追加や操作の追加が不要となる。
【００５０】
次に、その具体的な画像送信例を図２に基づいて説明する。
【００５１】
このシーケンスでは、ＶｏＩＰ電話システムの代表的な呼制御プロトコルとしてＳＩＰサーバ４１を用いており、以下に示すメゾット（制御機能）とレスポンスコード（応答）とを用いている。また、ここでは、ＶｏＩＰ電話装置（Ａ）１１からＶｏＩＰ電話装置（Ｄ）５１を呼び出しているものとして説明する。さらに、ＳＩＰサーバ４１のメモリ４１ｂには、複数の画像が操作部１２の指定と所定のファイル名で関連付けして記憶されているものとする。この際、メモリ４１ｂに記憶されているファイル名は、インターネットのＵＲＬ方式でフォルダに保存されていると共に、インターネット網２を介してダウンロード可能なＪＰＧ（写真画像など）やＪＩＦ（絵文字など）形式で保存されている。例えば、操作部１２の或るキーが操作されたときにＳＩＰサーバ４１が“Yamada”の信号を受信するとすれば、予めメモリ４１ｂに“Yamada”に対応して“yamada.jpg”という画像ファイル名とその画像が記憶される。
【００５２】
発呼者（ＵｓｅｒＡ）は、発呼者指定スイッチ１２ａを操作して発呼者を指定（例えば、山田）した後、操作部１２のテンキー又は短縮登録キー等の電話番号入力により相手先（ＵｓｅｒＢ）入力をすると、ＳＩＰサーバ４１に対して“ＩＮＶＩＴＥ”のＦｒｏｍに操作部１２の指定に対応する発呼者名等が付加された発呼先発信信号が出力される。
【００５３】
この際のＦｒｏｍは、例えば、From:“Yamada”<050XXXX1234@example.co.jp>といった具合になる。また、管理番号が２０であればFrom:050XXXX1234#20@example.co.jp、短縮番号が７であればFrom:050XXXX1234#7@example.co.jpといった具合になる。
【００５４】
ＳＩＰサーバ４１は、発呼者に対してレスポンスコード４０７の“Ｐｒｏｘｙ  Ａｕｔｈｅ”を発呼者に通知応答する。
【００５５】
これにより、“ＩＮＶＩＴＥ”メゾットに対する最終応答受信の“ＡＣＫ”メゾットをＳＩＰサーバ４１に送信する。
【００５６】
次の発呼者（ＵｓｅｒＡ）からの“ＩＮＶＩＴＥ”セッション要求に対し、ＳＩＰサーバ４１からのレスポンスコード１００の“Ｔｒｙｉｎｇ（試行中）”の通知応答を受けて、ＳＩＰサーバ４１に対して“ＩＮＶＩＴＥ”メゾットを着呼者（ＵｓｅｒＢ）に送信する。
【００５７】
ここでの“ＩＮＶＩＴＥ”メゾットでは、以下に示すようなフォーマットのＡｌｅｒｔ−Ｉｎｆｏヘッダを付加する。
【００５８】
Alert-Info:<file://ＳＩＰサーバのIPアドレス/フォルダ名/画像ファイル名>
例；Alert-Info:<file://example.co.jp/photo/yamada.jpg>
この “yamada.jpg”はＳＩＰサーバ４１がＵｓｅｒＡから受信した信号“Yamada”に対応してメモリ４１ｂから呼び出した画像ファイル名である。メモリ４１ｂに上述した（指定された）画像ファイル名が記憶されていればＡｌｅｒｔ−Ｉｎｆｏヘッダで指定された画像ファイル名に対応する画像が着呼者（ＵｓｅｒＢ）にダウンロードされると共にＶｏＩＰ電話装置（Ｄ）５１の表示部（図示せず）にその画像が表示される。また、これと同時にその表示中であることのレスポンスコード１００の“Ｔｒｙｉｎｇ（試行中）”と、呼び出し中としてのレスポンスコード１８０の“Ｒｉｎｇｉｎｇ”（呼び出し音）”とがＳＩＰサーバ４１及び発呼者に送信される。
【００５９】
そして、着呼者側での画像表示が終わると、受信操作によって発呼側と着呼側での通話が可能となる。
【００６０】
尚、専用の発呼者指定スイッチ１２ａを設けず、例えば、テンキーを利用して管理番号（例えば#001、#002、#003・・・）で画像を管理した場合には、上述したＦｒｏｍは以下のようになり、発呼の際にはその画像管理番号は電話番号としては無視される。尚、Ａｌｅｒｔ−Ｉｎｆｏヘッダは同じである。
【００６１】
例；From:<050XXXX1234#001@example.co.jp>
このように、本発明のＶｏＩＰ電話システムによれば、複数の画像を使用者や使用形態に関連付けして記憶し、発呼の際に画像を指定することができるので、汎用性を向上することができる。
【００６２】
尚、画像情報（発呼者から受信する画像指定信号（Yamada）と、これに対応する画像ファイル名（yamada.jpg）と画像）は、ＳＩＰサーバ４１のメモリ４１ｂ以外に他のサーバのメモリに保存してもよく、また、画像を指定する各ＶｏＩＰ電話装置１１，２１，３１のメモリ（１４）に保存しても良い。
【００６３】
上述の実施例では、発呼側の電話装置が画像指定信号をＳＩＰサーバに送信し、これを受信したＳＩＰサーバは画像指定信号に対応する画像ファイル名を被呼側の電話装置に送信し、これを受信した被呼側の電話装置は画像ファイル名に対応する画像をＳＩＰサーバ（あるいは他のサーバ、あるいは自装置）より取り込んで表示させた。この方法は現在のＶｏＩＰの動作を大きく変更しなくてもよい方法である。しかしながら、画像指定信号を受信したＳＩＰサーバがこれに対応する画像を被呼側の電話装置に送信し、これを被呼側の電話装置が表示させてもよい。
【図面の簡単な説明】
【００６４】
【図１】本発明のＶｏＩＰ電話システムの構成を示すブロック図である。
【図２】本発明のＶｏＩＰ電話システムのシーケンスの説明図である。
【符号の説明】
【００６５】
１…ルータ
２…インターネット網
３…ルータ
４…セントレックスゲートウェイ
５…公衆回線網
６…加入者電話装置
１０…ＬＡＮ（構内）ゲートウェイ
１１…ＶｏＩＰ電話端末
１２…操作部
１２ａ…発呼者指定スイッチ
１３…表示部
１４…メモリ
１５…制御回路
２１…ＶｏＩＰ電話端末
３１…ＶｏＩＰ電話端末
４１…サーバ（ＳＩＰサーバ）
【図１】
2007067639.tif 000003
【図２】
2007067639.tif 000004